(57)【特許請求の範囲】
【請求項１】
工具が取り付けられる工具ヘッドと、
上下のそれぞれの端が開口し、前記工具ヘッドを支持する筒状のコラムと、
前記コラムの下方開口の縁と設置面との間に配置され、該コラムを持ち上げて支持する複数の脚と、
前記コラムの下方開口と上方開口とのうちの一方の開口から雰囲気空気を該コラム内に取り入れ、他方の開口から該雰囲気空気を排気させる送風手段と、
を備え、
前記コラムとして、互いに間隔を開けて配置されている一対のコラムを備えていると共に、該一対のコラムの相互間に渡されている横梁部材を備え、
前記工具ヘッドは、前記横梁部材を介して前記コラムに支持され、
前記一対のコラムは、それぞれ、前記横梁部材が設けられる側の第一周壁と、該第一周壁と対向する第二周壁とを有し、
前記一対のコラムのそれぞれには、前記送風手段が設けられており、
前記第一周壁には、該第一周壁の外面を覆うカバーが設けられており、
前記第二周壁の厚さは該第一周壁の厚さより厚い、
ことを特徴とする工作機械。
【請求項２】
請求項１に記載の工作機械において、
前記送風手段は、前記コラム内の前記下方開口側に設けられ、該コラムの該下方開口から前記雰囲気空気を該コラム内に取り入れ、前記上方開口から該雰囲気空気を排気する、
ことを特徴とする工作機械。
【請求項３】
工具が取り付けられる工具ヘッドと、
上下のそれぞれの端が開口し、前記工具ヘッドを支持する筒状のコラムと、
前記コラムの下方開口の縁と設置面との間に配置され、該コラムを持ち上げて支持する複数の脚と、
前記コラムの下方開口と上方開口とのうちの一方の開口から雰囲気空気を該コラム内に取り入れ、他方の開口から該雰囲気空気を排気させる送風手段と、
を備え、
前記送風手段は、前記コラム内の前記下方開口側に設けられ、該コラムの該下方開口から前記雰囲気空気を該コラム内に取り入れ、前記上方開口から該雰囲気空気を排気するように、該送風手段は、前記雰囲気空気を前記下方開口から吸い込み、該雰囲気空気を前記上方開口へ送れる向きに設けられており、
前記コラムとして、互いに間隔を開けて配置されている一対のコラムを備えていると共に、該一対のコラムの相互間に渡されている横梁部材を備え、
前記工具ヘッドは、前記横梁部材を介して前記コラムに支持され、
前記一対のコラムは、それぞれ、前記横梁部材が設けられる側の第一周壁と、該第一周壁と対向する第二周壁とを有し、
前記一対のコラムのそれぞれには、前記送風手段が設けられている、
ことを特徴とする工作機械。
【請求項４】
請求項３に記載の工作機械において、
前記第一周壁には、該第一周壁の外面を覆うカバーが設けられている、
ことを特徴とする工作機械。
【請求項５】
請求項４に記載の工作機械において、
前記第二周壁の厚さは該第一周壁の厚さより厚い、
ことを特徴とする工作機械。
【請求項６】
請求項１から５のいずれか一項に記載の工作機械において、
前記コラムの内面には、互いに間に上下方向に伸びる前記雰囲気空気の流路が確保されている複数のフィンが形成されている、
ことを特徴とする工作機械。
【請求項７】
請求項１から５のいずれか一項に記載の工作機械において、
前記一対のコラムのそれぞれの前記第一周壁の内面及び前記第二周壁の内面には、互いに間に上下方向に伸びる前記雰囲気空気の流路が確保されている複数のフィンが形成されている、
ことを特徴とする工作機械。
【請求項８】
請求項１から７のいずれか一項に記載の工作機械において、
前記コラムを形成する周壁の一部分の温度を測定する第一温度計と、
前記コラムを形成する周壁のうち、前記一部分との間で温度差が生じる他の部分の温度を測定する第二温度計と、
前記第一温度計で測定された温度と前記第二温度計で測定された温度との温度差が予め定められた範囲を超えたときに、前記送風手段を稼動させ、該予め定められた範囲内のときに、前記送風手段を停止させる制御手段と、
を備えていることを特徴とする工作機械。
【請求項９】
請求項１、２、３、４、５、７のいずれか一項に記載の工作機械において、
前記一対のコラムのうちの一方のコラムの前記第一周壁の温度を測定する第一温度計と、
前記一方のコラムの前記第二周壁の温度を測定する第二温度計と、
前記第一温度計で測定された温度と前記第二温度計で測定された温度との温度差が予め定められた範囲を超えたときに、前記一対のコラムのそれぞれに設けられている前記送風手段を稼動させ、該予め定められた範囲内のときに、該一対のコラムのそれぞれに設けられている前記送風手段を停止させる制御手段と、
を備えていることを特徴とする工作機械。
【請求項１０】
請求項１、２、３、４、５、７のいずれか一項に記載の工作機械において、
前記一対のコラムのそれぞれの前記第一周壁の温度を測定する第一温度計と、
前記一対のコラムのそれぞれの前記第二周壁の温度を測定する第二温度計と、
前記一対のコラムのうちの一方のコラムに関して、前記第一温度計で測定された温度と前記第二温度計で測定された温度との温度差が予め定められた範囲を超えたときに、該一方のコラムに設けられている前記送風手段を稼動させ、該予め定められた範囲内のときに、該一方のコラムに設けられている前記送風手段を停止させると共に、前記一対のコラムのうちの他方のコラムに関して、前記第一温度計で測定された温度と前記第二温度計で測定された温度との温度差が予め定められた範囲を超えたときに、該他方のコラムに設けられている前記送風手段を稼動させ、該予め定められた範囲内のときに、該他方のコラムに設けられている前記送風手段を停止させる制御手段と、
を備えていることを特徴とする工作機械。
【請求項１１】
請求項１から７のいずれか一項に記載の工作機械において、
前記コラム外の雰囲気温度を測定する雰囲気温度計と、
前記雰囲気温度計で測定された温度の単位時間当たりの変化量である温度変化率を求め、該温度変化率が予め定められた範囲を超えるときに、前記送風手段を稼動させ、該予め定められた範囲内のときに、前記送風手段を停止させる制御手段と、
を備えていることを特徴とする工作機械。
【請求項１２】
請求項８から１０のいずれか一項に記載の工作機械において、
前記コラム外の雰囲気温度を測定する雰囲気温度計を備え、
前記制御手段は、前記雰囲気温度計で測定された温度の単位時間当たりの変化量である温度変化率を求め、該温度変化率が予め定められた変化率範囲を超えるときと、前記第一温度計で測定された温度と前記第二温度計で測定された温度との温度差が予め定められた温度差範囲を超えるときに、前記送風手段を稼動させ、該温度変化率が前記予め定められた変化率範囲内で、且つ、前記第一温度計で測定された温度と前記第二温度計で測定された温度との温度差が前記予め定められた温度差範囲内のときに、前記送風手段を停止させる、
ことを特徴とする工作機械。
【発明の詳細な説明】
【技術分野】
【０００１】
本発明は、工具ヘッドと、この工具ヘッドを支持するコラムとを備えている工作機械に関する。
【背景技術】
【０００２】
工作機械では、工具ヘッドを支持するコラムに温度分布が存在すると、温度の異なる部分相互間での熱膨張量の差により、コラムが傾く等してしまい、工作精度が悪化する。
【０００３】
そこで、以下の特許文献１に記載の技術では、コラムの前壁と後壁とのそれぞれに、複数の温度計を上下方向に並べて設けると共に、温度計と同数の温度調節手段を対応温度計の近傍に設けて、各温度計で測定された温度に基づいて各温度調節手段を制御して、コラム内の温度差を最小限に抑えている。
【先行技術文献】
【特許文献】
【０００４】
【特許文献１】特開２００１−５４８３９号公報
【発明の概要】
【発明が解決しようとする課題】
【０００５】
しかしながら、上記特許文献１に記載の技術では、極めて多数の温度計と共に、温度計と同数の温度調節手段が必要であるため、イニシャルコストが嵩む上に、各温度調節手段のための熱源を確保するためにランニングコストも嵩んでしまう、という問題点がある。
【０００６】
そこで、本発明は、イニシャルコスト及びランニングコストを抑えつつも、コラム内の温度差を最小限に抑えることができる工作機械を提供することを目的とする。
【課題を解決するための手段】
【０００７】
前記問題点を解決するための発明に係る工作機械は、
工具が取り付けられる工具ヘッドと、上下のそれぞれの端が開口し、前記工具ヘッドを支持する筒状のコラムと、前記コラムの下方開口の縁と設置面との間に配置され、該コラムを持ち上げて支持する複数の脚と、前記コラムの下方開口と上方開口とのうちの一方の開口から雰囲気空気を該コラム内に取り入れ、他方の開口から該雰囲気空気を排気させる送風手段と、を備え、前記コラムとして、互いに間隔を開けて配置されている一対のコラムを備えていると共に、該一対のコラムの相互間に渡されている横梁部材を備え、前記工具ヘッドは、前記横梁部材を介して前記コラムに支持され、前記一対のコラムは、それぞれ、前記横梁部材が設けられる側の第一周壁と、該第一周壁と対向する第二周壁とを有し、前記一対のコラムのそれぞれには、前記送風手段が設けられており、前記第一周壁には、該第一周壁の外面を覆うカバーが設けられており、前記第二周壁の厚さは該第一周壁の厚さより厚い、ことを特徴とする。
【０００８】
当該工作機械では、雰囲気空気をコラム内に強制的に送風して、コラムの各部分における雰囲気空気との間の熱伝達率をほぼ一律に上昇させて、コラムの各部分における雰囲気温度に対する温度追従性をほぼ同じにしている。このため、当該工作機械では、コラムの温度分布の均一化が図られ、各部分相互の熱膨張差によるコラムの傾きを防ぐことができる。
また、当該工作機械では、多数の温度計と共に、温度計と同数の温度調節手段が不要であるため、イニシャルコストを抑えることができると共に、コラムの温度を雰囲気空気の温度に合せているため、各温度調節手段のための熱源を確保する必要がなく、ランニングコストも抑えることができる。
また、このように、カバーが設けられていない側の第二周壁の厚さを厚くして、当該第二周壁の熱容量を大きくすることで、カバーが設けられ第一周壁の雰囲気温度に対する低い温度追従性に、当該第二周壁の温度追従性を近づけることができる。このため、第一周壁と第二周壁との温度差を抑えることができる。
【００１０】
ここで、前記工作機械において、
前記送風手段は、前記コラム内の前記下方開口側に設けられ、該コラムの該下方開口から前記雰囲気空気を該コラム内に取り入れ、前記上方開口から該雰囲気空気を排気するものであってもよい。
【００１１】
当該工作機械では、コラム内での雰囲気空気の送風効率を高めることができ、送風手段を駆動するためのランニングコストを抑えることができる。
【００１２】
また、前記問題点を解決するための発明に係る工作機械は、
工具が取り付けられる工具ヘッドと、上下のそれぞれの端が開口し、前記工具ヘッドを支持する筒状のコラムと、前記コラムの下方開口の縁と設置面との間に配置され、該コラムを持ち上げて支持する複数の脚と、前記コラムの下方開口と上方開口とのうちの一方の開口から雰囲気空気を該コラム内に取り入れ、他方の開口から該雰囲気空気を排気させる送風手段と、を備え、前記送風手段は、前記コラム内の前記下方開口側に設けられ、該コラムの該下方開口から前記雰囲気空気を該コラム内に取り入れ、前記上方開口から該雰囲気空気を排気するように、該送風手段は、前記雰囲気空気を前記下方開口から吸い込み、該雰囲気空気を前記上方開口へ送れる向きに設けられており、前記コラムとして、互いに間隔を開けて配置されている一対のコラムを備えていると共に、該一対のコラムの相互間に渡されている横梁部材を備え、前記工具ヘッドは、前記横梁部材を介して前記コラムに支持され、前記一対のコラムは、それぞれ、前記横梁部材が設けられる側の第一周壁と、該第一周壁と対向する第二周壁とを有し、前記一対のコラムのそれぞれには、前記送風手段が設けられている、ことを特徴とする。
【００１３】
また、前記工作機械において、
前記第一周壁には、該第一周壁の外面を覆うカバーが設けられていてもよい。この場合、前記第二周壁の厚さは該第一周壁の厚さより厚いことが好ましい。このように、カバーが設けられていない側の第二周壁の厚さを厚くして、当該第二周壁の熱容量を大きくすることで、カバーが設けられ第一周壁の雰囲気温度に対する低い温度追従性に、当該第二周壁の温度追従性を近づけることができる。このため、第一周壁と第二周壁との温度差を抑えることができる。
【００１４】
また、前記工作機械において、
前記コラムの内面には、互いに間に上下方向に伸びる前記雰囲気空気の流路が確保されている複数のフィンが形成されていてもよい。また、前記一対のコラムのそれぞれの前記第一周壁の内面及び前記第二周壁の内面には、互いに間に上下方向に伸びる前記雰囲気空気の流路が確保されている複数のフィンが形成されていてもよい。
【００１５】
当該工作機械では、コラムの内面の伝熱面積を増加させることができると共に、コラム内を上下方向に流れる雰囲気空気の抵抗を最小限に抑えることができために、コラム内の雰囲気空気の流速低下による熱伝達率の低下を抑えることができる。よって、当該工作機械では、コラム内において、コラムと雰囲気空気との熱交換率を向上させることができる。
【００１６】
また、前記工作機械において、
前記コラムを形成する周壁の一部分の温度を測定する第一温度計と、前記コラムを形成する周壁のうち、前記一部分との間で温度差が生じる他の部分の温度を測定する第二温度計と、前記第一温度計で測定された温度と前記第二温度計で測定された温度との温度差が予め定められた範囲を超えたときに、前記送風手段を稼動させ、該予め定められた範囲内のときに、前記送風手段を停止させる制御手段と、を備えていてもよい。
【００１７】
また、前記工作機械において、
前記一対のコラムのうちの一方のコラムの前記第一周壁の温度を測定する第一温度計と、前記一方のコラムの前記第二周壁の温度を測定する第二温度計と、前記第一温度計で測定された温度と前記第二温度計で測定された温度との温度差が予め定められた範囲を超えたときに、前記一対のコラムのそれぞれに設けられている前記送風手段を稼動させ、該予め定められた範囲内のときに、該一対のコラムのそれぞれに設けられている前記送風手段を停止させる制御手段と、を備えていてもよい。
【００１８】
また、前記工作機械において、
前記一対のコラムのそれぞれの前記第一周壁の温度を測定する第一温度計と、前記一対のコラムのそれぞれの前記第二周壁の温度を測定する第二温度計と、前記一対のコラムのうちの一方のコラムに関して、前記第一温度計で測定された温度と前記第二温度計で測定された温度との温度差が予め定められた範囲を超えたときに、該一方のコラムに設けられている前記送風手段を稼動させ、該予め定められた範囲内のときに、該一方のコラムに設けられている前記送風手段を停止させると共に、前記一対のコラムのうちの他方のコラムに関して、前記第一温度計で測定された温度と前記第二温度計で測定された温度との温度差が予め定められた範囲を超えたときに、該他方のコラムに設けられている前記送風手段を稼動させ、該予め定められた範囲内のときに、該他方のコラムに設けられている前記送風手段を停止させる制御手段と、を備えていてもよい。
【００１９】
コラムの周壁の温度を測定する温度計を備えている以上の工作機械では、送風手段を常時駆動させる必要がないため、ランニングコストを抑えることができる。
【００２０】
また、前記工作機械において、
前記コラム外の雰囲気温度を測定する雰囲気温度計と、前記雰囲気温度計で測定された温度の単位時間当たりの変化量である温度変化率を求め、該温度変化率が予め定められた範囲を超えるときに、前記送風手段を稼動させ、該予め定められた範囲内のときに、前記送風手段を停止させる制御手段と、を備えていてもよい。
【００２１】
当該工作機械でも、送風手段を常時駆動させる必要がないため、ランニングコストを抑えることができる。さらに、当該工作機械では、コラムの各部分の温度差が実際に大きくなる前に、各部分の温度差を抑えることができる。
【００２２】
また、コラムの周壁の温度を測定する温度計を備えている以上の工作機械において、
前記コラム外の雰囲気温度を測定する雰囲気温度計を備え、前記制御手段は、前記雰囲気温度計で測定された温度の単位時間当たりの変化量である温度変化率を求め、該温度変化率が予め定められた変化率範囲を超えるときと、前記第一温度計で測定された温度と前記第二温度計で測定された温度との温度差が予め定められた温度差範囲を超えるときに、前記送風手段を稼動させ、該温度変化率が前記予め定められた変化率範囲内で、且つ、前記第一温度計で測定された温度と前記第二温度計で測定された温度との温度差が前記予め定められた温度差範囲内のときに、前記送風手段を停止させてもよい。
【００２３】
当該工作機械では、コラムの各部分の温度差が実際に大きくなった場合と、各部分の温度差が大きくなると想定される場合の両方で、送風手段を稼動させるため、雰囲気温度の変化によるコラムの各部分の温度差をより小さく抑えることができる。
【発明の効果】
【００２４】
本発明によれば、雰囲気空気をコラム内に強制的に送風して、コラムの各部分における温度を雰囲気温度に合せているため、コラムの温度分布の均一化が図られ、各部分相互の熱膨張差によるコラムの傾きを防ぐことができる。
【００２５】
さらに、本発明によれば、多数の温度計と共に、温度計と同数の温度調節手段が不要であるため、イニシャルコストを抑えることができると共に、コラムの温度を雰囲気空気の温度に合せているため、各温度調節手段のための熱源を確保する必要がなく、ランニングコストも抑えることができる。
【図面の簡単な説明】
【００２６】
【図１】本発明に係る一実施形態における工作機械の斜視図である。
【図２】本発明に係る第一実施形態におけるコラムの模式的な縦断面図である。
【図３】図２におけるIII−III線断面図である。
【図４】本発明に係る第一実施形態で、送風ファンを駆動させていないときの雰囲気温度とコラムの後周壁温度及び前周壁温度との関係を示すグラフである。
【図５】本発明に係る第一実施形態における、コラムの周壁と雰囲気空気との間の熱伝達率と、雰囲気空気の風速との関係を示すグラフである。
【図６】本発明に係る第二実施形態におけるコラムの模式的な縦断面図である。
【図７】図６におけるＶII−ＶII線断面図である。
【図８】本発明に係る第三実施形態におけるコラムの模式的な縦断面図である。
【図９】本発明に係る第三実施形態における、コラムの前後周壁の温度差と送風ファンによる送風流量との関係を示す説明図である。
【図１０】本発明に係る第四実施形態におけるコラムの模式的な縦断面図である。
【図１１】本発明に係る第四実施形態における、雰囲気温度の変化率と送風ファンによる送風風量との関係を示す説明図である。
【図１２】本発明に係る第五実施形態におけるコラムの模式的な縦断面図である。
【発明を実施するための形態】
【００２７】
以下、本発明に係る工作機械の各種実施形態について、図面を用いて説明する。
【００２８】
「第一実施形態」
以下、本発明に係る工作機械の第一実施形態について、図１〜図５を用いて説明する。
【００２９】
本実施形態の工作機械は、図１に示すように、工具が取り付けられる工具ヘッド１と、この工具ヘッド１が取り付けられているラム２と、ラム２が取り付けられているサドル３と、サドル３の横方向（Ｙ方向）への移動をガイドするクロスレール（横梁部材）４と、クロスレール４を上下方向（Ｚ方向）に移動可能にこのクロスレール４のＹ方向の両端側を支える一対のコラム１０と、ワークが搭載され、このワークを前後方向（Ｘ方向）に移動させるベッド５と、を備えている。
【００３０】
一対のコラム１０は、それぞれ、クロスレール４を上下方向（Ｚ方向）に移動可能に支える四角筒状のコラム本体１１と、このコラム本体１１が上に載る四角筒状のコラムベッド２１と、を備えている。
【００３１】
四角筒状のコラム本体１１の４つの周壁のうち、前側（（＋）Ｘ側）の周壁１４には、クロスレール４のＺ方向への移動をガイドするガイドレール９が設けられていると共に、このガイドレール９を覆うカバー２７が設けられている。このカバー２７は、前周壁１４の下側に固定されている固定カバー２８と、ガイドレール９のＺ方向の移動に伴って前周壁１４に対して相対移動する移動カバー２９とがある。コラムベッド２１は、ジャッキ機能を備え、設置面Ｆ上に設けられた複数の脚３１により支持されている。
【００３２】
四角筒状のコラム本体１１は、図２及び図３に示すように、上下方向の両端が矩形状に開口している。このコラム本体１１は、前周壁（第一周壁）１４と、この前周壁１４に対向する後周壁（第二周壁）１５と、一対の側周壁１６と、各周壁１４，１５，１６の下端の外周に形成されているフランジ１７と、を有して構成されている。なお、図２は、コラム１０の模式的な縦断面図で、図３は、図２におけるIII−III線断面図である。
【００３３】
前周壁１４の厚さは、この前周壁１４にクロスレール４等を取り付けても、工作精度に影響を与えない程度の変形に収まる強度を確保できる厚さに設定されている。また、後周壁１５の厚さは、強度的には前周壁１４よりも薄くても構わないが、本実施形態では、前周壁１４の厚さよりも厚く設定されている。これは、前周壁１４にカバー２７が設けられ、この前周壁１４の雰囲気温度に対する温度追従性が低いことから、後周壁１５の熱容量を大きくて、この後周壁１５の雰囲気温度に対する温度追従性を前周壁１４の温度追従性に合せるためである。
【００３４】
四角筒状のコラムベッド２１も、コラム本体１１と同様、上下方向の両端が矩形状に開口している。上下の開口２３，２２は、いずれも、コラム本体１１の下方開口１２のサイズと実質的に同じである。このコラムベッド２１の上端及び下端の外周には、フランジ２５，２４が形成されている。このコラムベッド２１の上フランジ２５とコラム本体１１のフランジ１７とは、ボルト１７により連結されている。コラムベッド２１の下フランジ２４の下には、複数の脚３１が相互間隔を開けて配置されている。コラム１０は、この複数の脚３１の長さを調整することで、その高さや傾き等が調整される。
【００３５】
四角筒状のコラムベッド２１内には、２つのファンユニット（送風手段）４０が前後方向（Ｘ方向）に並んで取り付けられている。各ファンユニット４０は、送風ファン４１と、送風ファン４１を回転させるファンモータ４２と、ファンモータ４２が取り付けられるファン枠４３と、を有している。各ファンユニット４０は、送風ファン４１の駆動により、雰囲気空気を、コラムベッド２１の下フランジ２４と設置面Ｆとの間の隙間を経て、下方開口２２から吸い込み、この雰囲気空気を上方開口２３へ送れる向きに設けられている。
【００３６】
本実施形態の工作機械は、前述したように、コラム本体１１の後周壁１５の雰囲気温度に対する温度追従性を前周壁１４の温度追従性に合せるために、後周壁１５の厚さを前周壁１４よりも厚くしている。しかしながら、コラム本体１１の前周壁１４に設けられているカバー２７等による保温効果が大きく、図４に示すように、雰囲気温度の変化に対して、前周壁１４の温度追従性は、後周壁１５の温度追従性に比べて低い。すなわち、雰囲気温度が上がり始めると、後周壁１５の温度が上がり始め、その後、前周壁１４の温度が上がり始める。逆に、雰囲気温度が下がり始めると、後周壁１５の温度が下がり始め、その後、前周壁１４の温度が下がり始める。
【００３７】
このように、雰囲気温度に対する前周壁１４の温度追従性と後周壁１５の温度追従性とが異なると、雰囲気温度の変化により、前周壁１４と後周壁１５とに温度差が生じ、前周壁１４と後周壁１５の温度の異なる部分相互間での熱膨張量の差により、コラム１０が傾いてしまう。
【００３８】
そこで、本実施形態では、コラムベッド２１内にファンユニット４０を設けて、雰囲気空気をコラム１０の下方開口２２、つまりコラムベッド２１の下方開口２２から取り入れ、この雰囲気空気をコラム１０の上方開口１３から排気して、コラム１０内に雰囲気空気の強制的な流れを作り、コラム本体１１の各周壁１４，１５，１６と雰囲気空気との間の熱伝達率を上げている。
【００３９】
具体的には、図５に示すように、コラム１０内で雰囲気空気が自然対流（０〜１ｍ/ｓ）しているときの熱伝達率（３〜５Ｗ/（ｍ２Ｋ））に比べて、ファンユニット４０によりコラム１０内の雰囲気空気の流速を例えば７ｍ/ｓにすると、熱伝達率は約４倍の２０Ｗ/（ｍ２Ｋ）になる。
【００４０】
このように、本実施形態では、コラム本体１１の各部分における雰囲気空気との間の熱伝達率を一律に上昇させ、コラム本体１１の各部分における雰囲気温度に対する温度追従性をほぼ同じすることができるため、コラム本体１１の温度分布の均一化が図られ、各部分相互の熱膨張差によるコラム１０の傾きを防ぐことができる。
【００４１】
また、本実施形態では、多数の温度計と共に、温度計と同数の温度調節手段が不要であれため、イニシャルコストを抑えることができると共に、コラム本体１１の温度を雰囲気空気の温度に合せているため、各温度調節手段のための熱源を確保する必要がなく、ランニングコストも抑えることができる。
【００４２】
「第二実施形態」
次に、本発明に係る工作機械の第二実施形態について、図６及び図７を用いて説明する。
【００４３】
本実施形態の工作機械は、第一実施形態のコラム本体１１の内周面に複数の伝熱フィン１９を設けたもので、その他の構成は第一実施形態と同じである。
【００４４】
複数の伝熱フィン１９は、いずれも、矩形板状を成し、面積が最も広い主面がＹ方向に対して垂直になるよう、コラム本体１１の前周壁１４及び後周壁１５の内面に、複数の列を成すように設けられている。１列を構成する伝熱フィン１９は、互いに所定の間隔を開けて上下方向に直線状に並んでいる。また、複数の伝熱フィン１９の列は、横方向に並んでいる。ある列を構成する複数の伝熱フィン１９と、この列に隣接する列を構成する複数の伝熱フィン１９との間は、上下方向に直線状に伸びる雰囲気空気の流路を形成している。
【００４５】
以上のように、本実施形態では、コラム本体１１の前周壁１４及び後周壁１５の内面に複数の伝熱フィン１９を設けることにより、コラム本体１１の前周壁１４の内面及び後周壁１５の内面の伝熱面積を増加させることができる。
【００４６】
また、本実施形態では、複数の伝熱フィン１９により上下方向に直線状に伸びる流路を形成しているため、下方開口２２から上方開口１３に向かって流れる雰囲気空気の抵抗を最小限に抑えることができ、雰囲気空気の流速低下による熱伝達率の低下を抑えることができる。さらに、本実施形態では、上下方向で隣接する伝熱フィン１９の相互間に間隔を開けているため、この間隔の存在よる空気の乱れにより、熱伝達率を向上させることができる。
【００４７】
よって、本実施形態では、コラム本体１１の前周壁１４及び後周壁１５の雰囲気空気との間の熱交換率が向上し、第一実施形態よりも、雰囲気空気の温度変化による前周壁１４と後周壁１５との間の温度差を抑えることができる。
【００４８】
なお、本実施形態では、前周壁１４及び後周壁１５の内面にのみ伝熱フィン１９を設けているが、一対の側周壁１６にも伝熱フィン１９を設けてもよい。この場合、伝熱フィン１９は、その主面がＸ方向に対して垂直になるよう、側周面に設けることが好ましい。すなわち、コラム本体１１の内周面に伝熱フィン１９を設ける場合、前後周壁１４，１５に設けるときでも、側周壁１６に設けるときでも、雰囲気空気の流速低下を抑えるために、伝熱フィン１９の主面が上下方向に平行になっていることが好ましい。
【００４９】
「第三実施形態」
次に、本発明に係る工作機械の第三実施形態について、図８及び図９を用いて説明する。
【００５０】
本実施形態の工作機械は、図８に示すように、第一実施形態のコラム本体１１の前周壁１４及び後周壁１５に温度計４６，４７を設けると共に、両温度計４６，４７で測定された各温度の温度差に応じて、ファンユニット４０を駆動制御する制御装置４５を設けたものである。
【００５１】
温度計４６，４７は、一対のコラム１０の各コラム本体１１の前周壁１４及び後周壁１５に設けられている。これら温度計４６，４７は、コラム本体１１で温度差が最も大きくなる、前周壁１４の外面でカバー２７により覆われている部分と、後周壁１５の外面とに設けられている。
【００５２】
制御装置４５は、前周壁１４に設けられた前温度計４６で測定された前周壁温度と、後周壁１５に設けられた後温度計４７で測定された後周壁温度との差に応じて、ファンユニット４０のファンモータ４２を駆動制御する。
【００５３】
具体的に、制御装置４５は、図９に示すように、前周壁温度と後周壁温度との温度差が予め定められた範囲を超えると、その温度差の増加に伴って送風ファン４１による送風流量が多くなるよう、ファンモータ４２を駆動制御し、前周壁温度と後周壁温度との温度差が予め定められた範囲内になると、ファンモータ４２を停止させる。
【００５４】
以上、本実施形態では、前周壁１４及び後周壁１５に温度計４６，４７を設けると共に、制御装置４５を設けたので、第一実施形態よりもイニシャルコストが上昇するものの、常時、送風ファン４１を駆動させる必要がないため、ランニングコストを抑えることができる。
【００５５】
なお、本実施形態は、以上のように、第一実施形態よりもイニシャルコストが上昇するが、多数の温度計と共に、温度計と同数の温度調節手段が不要であるため、従来技術よりもイニシャルコストを抑えることができる。
【００５６】
ところで、本実施形態では、一対のコラム１０のそれぞれの前周壁１４及び後周壁１５に温度計４６，４７を設けているが、一対のコラム１０のうち、一方のコラム１０の回りの雰囲気温度の変化と他方のコラム１０回りの雰囲気温度の変化とに大差がない場合には、一方のコラム１０の前周壁１４及び後周壁１５にのみ温度計４６，４７を設け、両温度計４６，４７で測定された温度の差に基づいて、各コラム１０に設けられたファンユニット４０を駆動制御するようにしてもよい。
【００５７】
「第四実施形態」
次に、本発明に係る工作機械の第四実施形態について、図１０及び図１１を用いて説明する。
【００５８】
本実施形態の工作機械は、図１０に示すように、第一実施形態の工作機械に、この工作機械の雰囲気温度を測定する雰囲気温度計４８を設けると共に、この雰囲気温度計４８で測定された雰囲気温度に応じてファンユニット４０を駆動制御する制御装置４５ａを設けたものである。
【００５９】
制御装置４５ａは、雰囲気温度計４８で順次測定された雰囲気温度を一次的に記憶しておき、記憶した各雰囲気温度から、所定時間前から現時点までの間の雰囲気温度の変化率を求める。そして、制御装置４５ａは、雰囲気温度の変化率が予め定められた範囲を超えると、その変化率の絶対値の増加に伴って送風ファン４１による送風流量が多くなるよう、ファンモータ４２を駆動制御し、雰囲気温度の変化率が予め定められた範囲内になると、ファンモータ４２を停止させる。
【００６０】
本実施形態でも、第三実施形態と同様、常時、送風ファン４１を駆動させる必要がないため、第一実施形態よりもランニングコストを抑えることができる。また、本実施形態では、コラム１０の前周壁１４と後周壁１５との温度差が実際に大きくなる前に、雰囲気空気の温度変化による前周壁１４と後周壁１５との間の温度差を抑えることができる。
「第五実施形態」
次に、本発明に係る工作機械の第五実施形態について、図１２を用いて説明する。
【００６１】
本実施形態の工作機械は、第一実施形態のコラム本体１１の前周壁１４及び後周壁１５に温度計４６，４７を設けると共に、工作機械回りの雰囲気温度を測定する雰囲気温度計４８を設け、前温度計４６及び後温度計４７で測定された各温度の温度差、及び雰囲気温度計４８で測定された雰囲気温度に応じて、ファンユニット４０を駆動制御する制御装置４５ｂを設けたものである。すなわち、本実施形態は、第三実施形態の構成に、第四実施形態の雰囲気温度計４８を追加したものである。
【００６２】
本実施形態の制御装置４５ｂも、第四実施形態の制御装置４５ａと同様、所定時間前から現時点までの間の雰囲気温度の変化率を求める。そして、この制御装置４５ｂは、雰囲気温度の変化率が予め定められた範囲を超えると、その変化率の絶対値の増加に伴って送風ファン４１による送風流量が多くなるよう、ファンモータ４２を駆動制御すると共に、前周壁温度と後周壁温度との温度差が予め定められた範囲を超えると、その温度差の増加に伴って送風ファン４１による送風流量が多くなるよう、ファンモータ４２を駆動制御する。また、この制御装置４５ａは、雰囲気温度の変化率が予め定められた範囲内で、且つ前周壁温度と後周壁温度との温度差が予め定められた範囲内になると、モータ４２ファンを停止させる。
【００６３】
この制御装置４５ｂは、雰囲気温度の変化率が予め定められた範囲を超え、且つ前周壁温度と後周壁温度との温度差が予め定められた範囲を超えている場合には、雰囲気温度の変化率の絶対値、又は、前周壁温度と後周壁温度との温度差に応じて、送風ファン４１による送風流量が多くなるよう、ファンモータ４２を駆動制御する。
【００６４】
なお、この場合、雰囲気温度の変化率の絶対値と、前周壁温度と後周壁温度との温度差とのうち、一方の値に応じ定まる送風流量に、他方の値で定まる重みを掛けて、最終的な送風流量を定めてもよい。
【００６５】
以上、本実施形態も、第三及び第四実施形態と同様、常時、送風ファン４１を駆動させる必要がないため、第一実施形態よりもランニングコストを抑えることができる。
【００６６】
また、本実施形態では、前周壁温度と後周壁温度との温度差が実際に大きくなった場合と、この温度差が大きくなると想定される場合の両方で、送風ファン４１を駆動させるため、第三実施形態及び第四実施形態よりも、雰囲気空気の温度変化による前周壁１４と後周壁１５との間の温度差を小さく抑えることができる。
【００６７】
なお、本実施形態において、コラム本体１１に設ける各温度計４６，４７のうち、いずれかの温度計４６，４７で測定された温度を雰囲気温度計４８で測定された雰囲気温度とし、この温度計４６，４７を雰囲気温度計４８としても利用することで、別途設ける雰囲気温度計４８を省略してもよい。この場合、雰囲気温度に対する温度追従性の高い後周壁１５に設けた温度計４７で測定された温度を雰囲気温度計４８で測定された雰囲気温度とすることが好ましい。
【００６８】
また、本実施形態、第三及び第四実施形態において、コラム本体１１の内周面に、第二実施形態と同様、伝熱フィン１９を設けてもよい。
【００６９】
「各実施形態の変形例」
以上の各実施形態の工作装置は、いずれもコラム１０が四角筒状であるが、本発明はこれに限定されるものではなく、例えば、円筒状であってもよい。
【００７０】
また、以上の各実施形態では、いずれも、送風手段であるファンユニット４０をコラム１０の下方に設けて、コラム１０の下方開口２２から雰囲気空気を取り入れて、上方開口１３から排気しているが、以上の実施形態と同様に送風手段をコラム１０の下方に設けつつも、コラム１０の上方開口１３から雰囲気空気を取り入れて、下方開口２２から排気するようにしてもよい。また、送風手段をコラム１０の上方に設けて、コラム１０の上方開口１３から雰囲気空気を取り入れて、下方開口２２から排気するようにしてもよいし、コラム１０の下方開口２２から雰囲気空気を取り入れて、上方開口１３から排気するようにしてもよい。
【００７１】
但し、コラム１０内で温まった空気を下方に送るよりも上方に送る方がコラム１０内の送風効率が高いこと、さらに、コラム１０内から空気を吸い出すよりも、コラム１０内へ空気を送り込む方がファンモータ４２にかかる負荷が小さいことから、以上の各実施形態のように、送風手段をコラム１０の下方に設けて、コラム１０の下方開口２２から雰囲気空気を取り入れて、上方開口１３から排気することが好ましい。
【００７２】
また、以上の各実施形態では、送風手段であるファンユニット４０を２個前後に並べて設けているが、本発明はこれに限定されるものではなく、ファンユニット４０は１個であってもよいし、３個以上であってもよく、また、前後に並べなくてもよい。また、複数のファンユニット４０を設ける場合、複数のファンユニット４０相互を接触させずに、離して配置してもよい。
【符号の説明】
【００７３】
１：工具ヘッド、２：ラム、３：サドル、４：クロスレール（横梁部材）、５：ベッド、１０：コラム、１１：コラム本体、１３：（コラムの）上方開口、１４：前周壁、１５：後周壁、１６：側周壁、１９：伝熱フィン、２１：コラムベッド、２２：（コラムの）下方開口、３１：脚、４０：ファンユニット（送風手段）、４１：送風ファン、４２：ファンモータ、４５，４５ａ，４５ｂ：制御装置、４６：前温度計、４７：後温度計、４８：雰囲気温度計
【図１】
0005449086.tif 000002
【図２】
0005449086.tif 000003
【図３】
0005449086.tif 000004
【図４】
0005449086.tif 000005
【図５】
0005449086.tif 000006
【図６】
0005449086.tif 000007
【図７】
0005449086.tif 000008
【図８】
0005449086.tif 000009
【図９】
0005449086.tif 000010
【図１０】
0005449086.tif 000011
【図１１】
0005449086.tif 000012
【図１２】
0005449086.tif 000013